(57)【要約】【課題】設定項目の設定値が変更された場合に、設定値が変更されたことに起因する消費電力の変化を利用者に知らせることが可能な表示装置を提供する。【解決手段】液晶テレビ１００は、コンテンツを表示する表示部１５と、ＯＳＤ信号を生成するＯＳＤ部と、設定項目の設定値を記憶するとともに、設定項目の設定値に応じた消費電力情報を記憶するＲＯＭと、設定項目の設定値が変更された際に、消費電力情報に基づいて消費電力を算出するＣＰＵとを備える。そして、ＯＳＤ部は、設定項目の設定値が変更された場合に、コンテンツの映像に重畳して現在の消費電力Ｐ１を表示部１５に表示する。【選択図】図６
2011010071.tif 000002
【特許請求の範囲】
【請求項１】
表示部の表示を制御する表示制御部を備えた電子機器において、
設定項目の設定値を記憶するとともに、前記設定項目の設定値に応じた消費電力情報を記憶する記憶部と、
前記設定項目の設定値が変更された際に、前記消費電力情報に基づいて消費電力を算出する算出部と、をさらに備え、
前記表示制御部は、前記設定項目の設定値が変更された場合に、前記算出部により算出された消費電力を前記表示部に表示する、ことを特徴とする電子機器。
【請求項２】
コンテンツが入力される入力部と、
前記入力部に入力されたコンテンツを表示する表示部と、
前記表示部の表示を制御する表示制御部と、を備えた表示装置において、
設定項目の設定値を記憶するとともに、前記設定項目の設定値に応じた消費電力情報を記憶する記憶部と、
前記設定項目の設定値が変更された際に、前記消費電力情報に基づいて消費電力を算出する算出部と、をさらに備え、
前記表示制御部は、前記表示部にコンテンツの映像が表示されているときに、前記設定項目の設定値が変更された場合に、コンテンツの映像に重畳して前記算出部により算出された消費電力を前記表示部に表示する、ことを特徴とする表示装置。
【請求項３】
請求項２に記載の表示装置において、
前記算出部は、前記設定項目の設定値が変更された場合に、前記設定項目の設定値の変更前後における消費電力差を算出し、
前記表示制御部は、前記設定項目の設定値が変更された場合に、前記算出部により算出された消費電力差を前記表示部に表示する、ことを特徴とする表示装置。
【請求項４】
請求項２または請求項３に記載の表示装置において、
前記表示制御部は、前記設定項目の設定値が変更された場合に、前記算出部により算出された消費電力を所定の期間だけ前記表示部に表示する、ことを特徴とする表示装置。
【発明の詳細な説明】
【技術分野】
【０００１】
本発明は、消費電力の表示機能を備えた電子機器および表示装置に関する。
【背景技術】
【０００２】
従来、消費電力の表示機能を備えた電子機器および表示装置が種々知られている（たとえば、特許文献１〜５参照）。
【０００３】
上記特許文献１には、表示装置の消費電力と、表示装置に接続された録画再生装置の消費電力と、表示装置の消費電力および録画再生装置の消費電力を加算した表示装置および録画再生装置全体の消費電力とが表示される表示装置が開示されている。
【０００４】
また、上記特許文献２には、消費電力の瞬時値の目安が表示される消費電力表示装置が開示されている。
【０００５】
また、上記特許文献３には、使用を開始した日からの積算した消費電力量が表示される表示装置が開示されている。
【０００６】
また、上記特許文献４には、過去３０日間の消費電力量および二酸化炭素排出量が表示される表示装置が開示されている。
【０００７】
また、上記特許文献５には、視聴時間および消費電力量が表示される表示装置が開示されている。
【先行技術文献】
【特許文献】
【０００８】
【特許文献１】特開２００８−１４８１４０号公報
【特許文献２】特開２００２−３５４５１０号公報
【特許文献３】特開２０００−１６２２５５号公報
【特許文献４】特開平１１−３３１７２４号公報
【特許文献５】特開平９−４６６０８号公報
【発明の概要】
【発明が解決しようとする課題】
【０００９】
本発明の課題とするところは、設定項目の設定値が変更された場合に、設定値が変更されたことに起因する消費電力の変化を利用者に知らせることが可能な電子機器および表示装置を提供することである。
【課題を解決するための手段】
【００１０】
本発明の電子機器は、表示部の表示を制御する表示制御部を備えた電子機器において、設定項目の設定値を記憶するとともに、設定項目の設定値に応じた消費電力情報を記憶する記憶部と、設定項目の設定値が変更された際に、消費電力情報に基づいて消費電力を算出する算出部と、をさらに備え、表示制御部は、設定項目の設定値が変更された場合に、算出部により算出された消費電力を表示部に表示する。
【００１１】
このように構成することによって、設定項目の設定値が変更された場合には、算出部により、記憶部に記録された消費電力情報に基づいて消費電力が算出される。そして、表示制御部により、算出部により算出された消費電力が表示部に表示される。このため、設定項目の設定値が変更された場合には、設定値が変更されたことに起因する消費電力の変化を利用者に知らせることができる。また、記憶部に記録された消費電力情報に基づいて消費電力を算出することにより、消費電力を計測する計測装置を設ける場合と異なり、部品点数が増加するのを抑制することができる。
【００１２】
また、本発明の表示装置は、コンテンツが入力される入力部と、入力部に入力されたコンテンツを表示する表示部と、表示部の表示を制御する表示制御部と、を備えた表示装置において、設定項目の設定値を記憶するとともに、設定項目の設定値に応じた消費電力情報を記憶する記憶部と、設定項目の設定値が変更された際に、消費電力情報に基づいて消費電力を算出する算出部と、をさらに備え、表示制御部は、表示部にコンテンツの映像が表示されているときに、設定項目の設定値が変更された場合に、コンテンツの映像に重畳して算出部により算出された消費電力を表示部に表示する。
【００１３】
このように構成することによって、設定項目の設定値が変更された場合には、算出部により、記憶部に記録された消費電力情報に基づいて消費電力が算出される。そして、表示制御部により、算出部により算出された消費電力が表示部に表示される。このため、利用者により設定項目の設定値が変更された場合には、設定値が変更されたことに起因する消費電力の変化を利用者に知らせることができる。また、コンテンツの映像に重畳して消費電力が表示されることにより、利用者は、コンテンツの視聴を継続しながら、設定値が変更されたことに起因する消費電力の変化を知ることができる。また、記憶部に記録された消費電力情報に基づいて消費電力を算出することにより、消費電力を計測する計測装置を設ける場合と異なり、部品点数が増加するのを抑制することができる。
【００１４】
上記表示装置において、算出部は、設定項目の設定値が変更された場合に、設定項目の設定値の変更前後における消費電力差を算出し、表示制御部は、設定項目の設定値が変更された場合に、算出部により算出された消費電力差を表示部に表示するようにしてもよい。
【００１５】
上記表示装置において、表示制御部は、設定項目の設定値が変更された場合に、算出部により算出された消費電力を所定の期間だけ表示部に表示するようにしてもよい。
【発明の効果】
【００１６】
本発明によれば、設定項目の設定値が変更された場合に、設定値が変更されたことに起因する消費電力の変化を利用者に知らせることが可能な電子機器および表示装置を提供することができる。
【図面の簡単な説明】
【００１７】
【図１】本発明の一実施形態による液晶テレビの全体構成を示した斜視図である。
【図２】図１の液晶テレビの全体構成を示したブロック図である。
【図３】図２のＲＯＭに記録された消費電力情報を説明するための図である。
【図４】図２のＲＯＭに記録された消費電力を説明するための図である。
【図５】図１の液晶テレビの動作を説明するためのフローチャートである。
【図６】図１の液晶テレビの動作を説明するための斜視図である。
【図７】図１の液晶テレビの動作を説明するための斜視図である。
【発明を実施するための形態】
【００１８】
以下、本発明の実施形態について、図面を参照しながら説明する。なお、以下の実施形態では、電子機器および表示装置の一例である液晶テレビジョン受像機（以下、「液晶テレビ」という）に本発明を適用した場合について説明する。
【００１９】
まず、図１〜図４を参照して、本発明の一実施形態による液晶テレビ１００の構成について説明する。
【００２０】
本実施形態による液晶テレビ１００は、図１に示すように、テレビ本体１と、テレビ本体１を遠隔操作するリモコン２とを備えている。
【００２１】
テレビ本体１は、図２に示すように、チューナ１１と、信号処理部１２と、映像処理部１３と、ＯＳＤ（On-Screen Display）部１４と、表示部１５と、音声処理部１６と、スピーカ１７と、受信部１８と、制御部１９とを含んでおり、これらはバス１ａを介して接続されている。
【００２２】
チューナ１１には、アンテナ（図示省略）が接続されている。チューナ１１は、地上デジタル放送などのテレビジョン放送（コンテンツ）を受信するとともに、受信した放送信号を信号処理部１２に出力する。なお、チューナ１１は、本発明の「入力部」の一例である。
【００２３】
信号処理部１２は、デコーダなどを含み、チューナ１１から入力された信号に対して所定の処理を施す。そして、信号処理部１２は、所定の処理が施された映像信号を映像処理部１３に出力するとともに、所定の処理が施された音声信号を音声処理部１６に出力する。
【００２４】
映像処理部１３は、スケーリング回路などを含み、信号処理部１２から入力された映像信号に対して所定の処理を施す。そして、映像処理部１３は、所定の処理が施された映像信号を表示部１５に出力する。
【００２５】
ＯＳＤ部１４は、ＯＳＤ信号を生成するとともに、生成したＯＳＤ信号を映像処理部１３から出力される映像信号に重畳して表示部１５に出力する。なお、ＯＳＤ部１４は、本発明の「表示制御部」の一例である。
【００２６】
表示部１５は、液晶パネル１５ａ（図１参照）やバックライト（図示省略）などを含み、映像処理部１３から入力される映像信号およびＯＳＤ部１４から入力されるＯＳＤ信号に基づいて映像を表示する。
【００２７】
音声処理部１６は、アンプなどを含み、信号処理部１２から入力された音声信号に対して所定の処理を施す。そして、音声処理部１６は、所定の処理が施された音声信号をスピーカ１７に出力する。スピーカ１７は、音声処理部１６から入力される音声信号に基づいて音声を再生する。
【００２８】
受信部１８は、フォトダイオードなどを含み、リモコン２から出力されるリモコン信号を受信する。リモコン２は、利用者からの操作指令を受け付ける操作ボタン２ａ（図１参照）や、操作指令に応じてリモコン信号を発信する発信部（図示省略）などを有する。
【００２９】
制御部１９は、ＣＰＵ１９ａと、ＲＯＭ１９ｂと、ＲＡＭ１９ｃとを含んでおり、テレビ本体１の動作を制御する。なお、ＣＰＵ１９ａは、本発明の「算出部」の一例であり、ＲＯＭ１９ｂは、本発明の「記憶部」の一例である。
【００３０】
ＣＰＵ１９ａは、テレビ本体１の動作を制御するために、ＲＯＭ１９ｂに記録されたプログラムの実行などを行う。また、ＣＰＵ１９ａは、後述する設定項目の設定値が変更された場合に、変更後の設定値と、後述する消費電力情報Ｌ（図３参照）とに基づいて、現在の消費電力を算出する。
【００３１】
ＲＯＭ１９ｂは、書き換え可能な不揮発性のメモリであり、たとえば、フラッシュメモリである。ＲＯＭ１９ｂには、テレビ本体１の動作を制御するためのプログラムや、各種設定項目の設定値などが記録されている。ここで、各種設定項目には、たとえば、表示部１５の「明るさ」やスピーカ１７の「音量」などが含まれている。
【００３２】
また、ＲＯＭ１９ｂには、図３に示すように、各設定項目ごとに設定値に応じた消費電力情報Ｌが記録されている。図３の例では、設定項目「明るさ」の設定値が「基準値」である場合には、消費電力が「Ａ（Ｗ）」である。また、設定項目「明るさ」の設定値が「基準値＋１」である場合には、消費電力が「Ａ＋３（Ｗ）」である。また、設定項目「明るさ」の設定値が「基準値＋２」である場合には、消費電力が「Ａ＋６（Ｗ）」である。また、設定項目「明るさ」の設定値が「基準値−１」である場合には、消費電力が「Ａ−３（Ｗ）」である。また、設定項目「明るさ」の設定値が「基準値−２」である場合には、消費電力が「Ａ−６（Ｗ）」である。
【００３３】
また、設定項目「音量」の設定値が「基準値」である場合には、消費電力が「Ｂ（Ｗ）」である。また、設定項目「音量」の設定値が「基準値＋１」である場合には、消費電力が「Ｂ＋１（Ｗ）」である。また、設定項目「音量」の設定値が「基準値＋２」である場合には、消費電力が「Ｂ＋２（Ｗ）」である。また、設定項目「音量」の設定値が「基準値−１」である場合には、消費電力が「Ｂ−１（Ｗ）」である。また、設定項目「音量」の設定値が「基準値−２」である場合には、消費電力が「Ｂ−２（Ｗ）」である。
【００３４】
また、ＲＯＭ１９ｂには、図４に示すように、テレビ本体１の基準時の消費電力と、テレビ本体１の現在の消費電力とが記録されている。テレビ本体１の基準時の消費電力は、各設定項目の設定値が基準値であるときの消費電力を合算した値である。また、テレビ本体１の現在の消費電力は、各設定項目の現在の設定値に応じた消費電力を合算した値である。
【００３５】
ＲＡＭ１９ｃは、たとえば、ＤＲＡＭであり、プログラムが実行される際のデータなどを一時的に記憶する。
【００３６】
次に、図１〜図６を参照して、本実施形態による液晶テレビ１００の動作について説明する。なお、このフローチャートの各ステップは、ＣＰＵ１９ａ（図２参照）により実行される。
【００３７】
まず、液晶テレビ１００では、図５のステップＳ１において、テレビ本体１（図１参照）の電源がオンされたか否かが判断される。具体的には、受信部１８（図１参照）により、リモコン２（図１参照）から出力される所定のリモコン信号を受信したか否かが判断される。そして、テレビ本体１の電源がオンされていないと判断された場合には、ステップＳ１が繰り返し行われる。すなわち、液晶テレビ１００は、テレビ本体１の電源がオンされるまで待機する。そして、テレビ本体１の電源がオンされたと判断された場合には、ステップＳ２に移る。
【００３８】
次に、ステップＳ２において、映像処理部１３（図２参照）により、チューナ１１（図２参照）により受信したコンテンツの映像が表示部１５（図１参照）に表示される。なお、このとき、スピーカ１７（図２参照）によりコンテンツの音声が再生される。
【００３９】
次に、ステップＳ３において、設定項目の設定値（図３参照）が変更されたか否かが判断される。具体的には、受信部１８により、リモコン２から出力される所定のリモコン信号を受信したか否かが判断される。そして、設定項目の設定値が変更されていないと判断された場合には、ステップＳ８に移る。その一方、設定項目の設定値が変更されたと判断された場合には、ステップＳ４に移る。
【００４０】
次に、ステップＳ４において、変更された設定項目の設定値が更新される。具体的には、ＲＯＭ１９ｂ（図２参照）に記録された設定値が変更後の値に書き換えられる。たとえば、図３において、明るさの設定値が「基準値」から＋１増加した場合は、設定値が「基準値＋１」に更新される。
【００４１】
次に、ステップＳ５において、変更後の設定値に基づいて、テレビ本体１の現在の消費電力が算出される。具体的には、変更後の各設定項目の設定値に応じた消費電力が合算される。上記の例では、明るさの変更後の設定値「基準値＋１」に応じた消費電力である「Ａ＋３（Ｗ）」と、明るさ以外の設定項目の設定値に応じた消費電力とが合算され、その合計値が現在の消費電力となる。
【００４２】
次に、ステップＳ６において、テレビ本体１の現在の消費電力が更新される。具体的には、ＲＯＭ１９ｂに記録された図４の現在の消費電力の値Ｄが変更後の値に書き換えられる。
【００４３】
次に、ステップＳ７において、ＯＳＤ部１４（図２参照）により、テレビ本体１の現在の消費電力が表示部１５に表示される。具体的には、ＯＳＤ部１４は、ＯＳＤ信号を生成するとともに、生成したＯＳＤ信号を映像処理部１３から出力される映像信号に重畳して表示部１５に出力する。これにより、図６に示すように、チューナ１１により受信したコンテンツの映像に重畳して現在の消費電力Ｐ１が表示部１５に表示される。
【００４４】
なお、現在の消費電力Ｐ１は、前述のように、設定項目の設定値が変更された後におけるテレビ本体１の現在の消費電力である。したがって、先の例のように、設定項目「明るさ」の設定値が「基準値」から「基準値＋１」に変更された場合には、変更前の現在の消費電力に３（Ｗ）加算された値が、変更後の現在の消費電力Ｐ１として表示部１５に表示される。
【００４５】
そして、所定の期間の経過後に現在の消費電力Ｐ１が表示部１５から消去される。すなわち、現在の消費電力Ｐ１は、設定項目の設定値が変更された場合に、所定の期間だけ表示部１５に表示される。
【００４６】
次に、ステップＳ８において、テレビ本体１の電源がオフされたか否かが判断される。具体的には、受信部１８により、リモコン２から出力される所定のリモコン信号を受信したか否かが判断される。そして、テレビ本体１の電源がオフされていないと判断された場合には、ステップＳ３に戻る。その一方、テレビ本体１の電源がオフされたと判断された場合には、液晶テレビ１００の動作が終了する。
【００４７】
本実施形態では、上記のように、設定項目の設定値が変更された場合に、現在の消費電力Ｐ１を表示部１５に表示することによって、設定値が変更されたことに起因する消費電力の変化を利用者に知らせることができる。これにより、利用者が液晶テレビ１００の設定状態に応じた消費電力を把握することができるので、利用者の省エネ意識の向上を促すことができる。
【００４８】
また、本実施形態では、コンテンツの映像に重畳して現在の消費電力Ｐ１を表示することによって、利用者は、コンテンツの視聴を継続しながら、設定値が変更されたことに起因する消費電力の変化を知ることができる。
【００４９】
また、本実施形態では、ＲＯＭ１９ｂに記録された消費電力情報Ｌに基づいて現在の消費電力を算出することによって、消費電力を計測する計測装置を設ける場合と異なり、部品点数が増加するのを抑制することができる。
【００５０】
また、本実施形態では、設定項目の設定値が変更された場合に、所定の期間だけ現在の消費電力Ｐ１を表示部１５に表示することによって、現在の消費電力Ｐ１によりコンテンツの映像が妨げられるのを抑制しながら、消費電力の変化を利用者に知らせることができる。
【００５１】
本発明は、上述した以外にも種々の実施形態を採用することができる。たとえば、上記実施形態では、電子機器および表示装置の一例である液晶テレビ１００に本発明を適用する例を示したが、これに限らず、プラズマテレビなどのその他の表示装置に本発明を適用してもよいし、ＤＶＤレコーダなどのその他の電子機器に本発明を適用してもよい。
【００５２】
また、上記実施形態では、所定の期間の経過後に現在の消費電力Ｐ１が表示部１５から消去される例を示したが、これに限らず、表示部１５の一部に常に現在の消費電力Ｐ１が表示されるようにしてもよい。
【００５３】
また、上記実施形態において、設定項目の設定値が変更された場合に、ＣＰＵ１９ａにより、設定項目の設定値の変更前後における消費電力差を算出するようにしてもよい。具体的には、ＣＰＵ１９ａは、設定項目の設定値が変更された場合に、変更前の消費電力をＲＯＭ１９ｂまたはＲＡＭ１９ｃに記録し、変更後の現在の消費電力を算出した後、変更前後における消費電力の差を算出する。そして、図７に示すように、ＯＳＤ部１４により、現在の消費電力Ｐ１とともに、設定項目の設定値の変更前後における消費電力差Ｐ２を表示するようにしてもよい。このように構成すれば、消費電力の変化を利用者に分かりやすく知らせることができる。
【００５４】
また、上記実施形態では、設定項目の設定値が変更された場合に、現在の消費電力Ｐ１が表示部１５に表示される例を示したが、これに限らず、設定項目の設定値が変更された場合に、現在の消費電力Ｐ１を表示部１５に表示させるか否かを利用者が予め設定可能なように構成されていてもよい。
【００５５】
また、上記実施形態では、設定項目の一例として「明るさ」および「音量」を示したが、これに限らず、たとえば、外部入力を表示するか否かという択一的な設定項目が含まれていてもよい。
【００５６】
また、上記実施形態において、現在の消費電力Ｐ１とともに、所定の期間の消費電力量が表示されるようにしてもよい。なお、所定の期間の消費電力量は、たとえば、設定項目の設定値が変更される毎に、設定値が変更される前の消費電力と、設定値が変更される前の動作時間とに基づいて設定値が変更される前の消費電力量を算出し、その消費電力量を所定の期間において積算するようにすればよい。また、消費電力量当たりの電気料金を設定可能に構成し、現在の消費電力Ｐ１とともに、所定の期間の電気料金が表示されるようにしてもよい。
【００５７】
また、上記実施形態では、ＲＯＭ１９ｂには、消費電力情報として各設定項目の設定値に応じた消費電力が記録される例を示したが、これに限らず、ＲＯＭ１９ｂに、消費電力情報として、各設定項目の設定値に応じた消費電力の変化量が記録されていてもよい。具体的には、図３では、設定項目「明るさ」の設定値が「基準値＋１」である場合の消費電力が「Ａ＋３（Ｗ）」と記録される例を示したが、これに限らず、設定項目「明るさ」の設定値が「基準値＋１」である場合の消費電力の変化量が「＋３（Ｗ）」と記録されていてもよい。この場合には、設定項目の設定値が変更された場合に、変更前の現在の消費電力と、消費電力の変化量とに基づいて、変更後の現在の消費電力が算出される。
【符号の説明】
【００５８】
１１      チューナ（入力部）
１４      ＯＳＤ部（表示制御部）
１５      表示部
１９ａ    ＣＰＵ（算出部）
１９ｂ    ＲＯＭ（記憶部）
１００    液晶テレビ（表示装置、電子機器）
【図１】
2011010071.tif 000003
【図２】
2011010071.tif 000004
【図３】
2011010071.tif 000005
【図４】
2011010071.tif 000006
【図５】
2011010071.tif 000007
【図６】
2011010071.tif 000008
【図７】
2011010071.tif 000009